(57)【要約】【課題】放送種別情報だけに依存することなく、デジタル放送等により提供されるコンテンツの画質及び音質等を制御することが可能な情報再生方法を提供すること。【解決手段】この発明の一実施形態に係る情報再生方法は、入力信号からキーワードを検出し、前記検出手段により検出された検出キーワードが、登録キーワードと再生制御条件とを対応付けたキーワード別再生制御条件に含まれた前記登録キーワードを含む場合、前記キーワード別再生制御条件に含まれた前記再生制御条件を設定し、前記設定された前記再生制御条件に基づき、前記入力信号を再生する。【選択図】      図２
2010124417.tif 000002
【特許請求の範囲】
【請求項１】
登録キーワードと再生制御条件とを対応付けたキーワード別再生制御条件を登録する登録手段と、
入力信号からキーワードを検出する検出手段と、
前記検出手段により検出された検出キーワードが前記キーワード別再生制御条件に含まれた前記登録キーワードを含む場合、前記キーワード別再生制御条件に含まれた前記再生制御条件を設定する設定手段と、
前記設定手段により設定された前記再生制御条件に基づき、前記入力信号を再生する再生手段と、
を備えたことを特徴とする情報再生装置。
【請求項２】
前記登録手段は、前記登録キーワードと、映像出力を制御する再生制御条件及び音声出力を制御する再生制御条件のうちの少なくとも一方の条件とを対応付けた前記キーワード別再生制御条件を登録することを特徴とする請求項１に記載の情報再生装置。
【請求項３】
前記検出手段は、前記入力信号からタイトルを検出し、
前記設定手段は、前記タイトルが前記登録キーワードを含む場合に、前記キーワード別再生制御条件に含まれた前記再生制御条件を設定する、
ことを特徴とする請求項１に記載の情報再生装置。
【請求項４】
前記登録手段は、優先度が設定された複数の登録キーワードの夫々と同一又は異なる再生制御条件とを対応付けた前記キーワード別再生制御条件を登録し、
前記検出手段は、入力信号からキーワードを検出し、
前記設定手段は、前記検出キーワードが２以上の登録キーワードを含む場合、２以上の登録キーワードのうちの最も優先度の高い登録キーワードに対応付けられた再生制御条件を設定する、
ことを特徴とする請求項１に記載の情報再生装置。
【請求項５】
前記登録手段は、登録ジャンル情報と再生制御条件とを対応付けたジャンル別再生制御条件を登録するとともに、前記ジャンル別再生制御条件と前記キーワード別再生制御条件のうちのどちらか一方の条件に対して優先設定し、
前記検出手段は、入力信号からジャンル情報及びキーワードのうちの少なくとも一方の情報を検出し、
前記設定手段は、前記検出手段によりジャンル情報が検出された場合には、前記検出ジャンル情報と同じ前記登録ジャンル情報に対応付けられた再生制御条件を設定し、前記検出手段によりキーワードが検出された場合には、前記検出キーワードが含む前記登録キーワードに対応付けられた再生制御条件を設定し、前記検出手段によりジャンル情報及びキーワードの両方が検出され且つ前記ジャンル別再生制御条件に対して優先設定がされている場合には、前記検出ジャンル情報と同じ前記登録ジャンル情報に対応付けられた再生制御条件を設定し、前記検出手段によりジャンル情報及びキーワードの両方が検出され且つ前記キーワード別再生制御条件に対して優先設定がされている場合には、前記検出キーワードが含む前記登録キーワードに対応付けられた再生制御条件を設定する、
ことを特徴とする請求項１に記載の情報再生装置。
【請求項６】
前記再生手段で再生される前記入力信号に基づいて映像が表示される表示手段を備えることを特徴とする請求項１に記載の情報再生装置。
【請求項７】
登録キーワードと再生制御条件とを入力するための入力画面情報を出力する出力手段と、
前記入力画面情報に基づき生成された入力画面を介して入力された前記登録キーワードと前記再生制御条件とを対応付けたキーワード別再生制御条件を登録する登録手段と、
入力信号からキーワードを検出する検出手段と、
前記検出手段により検出された検出キーワードが前記キーワード別再生制御条件に含まれた前記登録キーワードを含む場合、前記キーワード別再生制御条件に含まれた前記再生制御条件を設定する設定手段と、
前記設定手段により設定された前記再生制御条件に基づき、前記入力信号を再生する再生手段と、
を備えたことを特徴とする情報再生装置。
【請求項８】
入力信号からキーワードを検出し、
前記検出手段により検出された検出キーワードが、登録キーワードと再生制御条件とを対応付けたキーワード別再生制御条件に含まれた前記登録キーワードを含む場合、前記キーワード別再生制御条件に含まれた前記再生制御条件を設定し、
前記設定された前記再生制御条件に基づき、前記入力信号を再生する、
ことを特徴とする情報再生方法。
【発明の詳細な説明】
【技術分野】
【０００１】
本発明は、映像及び音声の出力設定を変更可能な情報再生装置及び情報再生方法に関する。
【背景技術】
【０００２】
近年のデジタル放送エリアの拡大に伴い、デジタル放送を受信し出力するデジタル放送受信装置が急速に普及し始めている。デジタル放送は、番組コンテンツとともに電子番組ガイド（ＥＰＧ）を提供することができる。例えば、日本の地上波デジタル放送により提供される電子番組ガイドは、放送種別情報（ジャンル情報）を含む。この放送種別情報を利用し、画質及び音質を制御する技術が提案されている（特許文献１参照）。
【特許文献１】特開２００７−２８２０７７
【発明の開示】
【発明が解決しようとする課題】
【０００３】
しかしながら、電子番組ガイドが、必ず放送種別情報を含むとは限らない。例えば、国によっては、放送種別情報を含まない電子番組ガイドを利用したデジタル放送を運用している。このようなケースでは、放送種別情報を利用し、画質及び音質を制御することはできない。
【０００４】
本発明の目的は、放送種別情報だけに依存することなく、デジタル放送等により提供されるコンテンツの画質及び音質等を制御することが可能な情報再生装置及び情報再生方法を提供することにある。
【課題を解決するための手段】
【０００５】
この発明の一実施形態に係る情報再生装置は、登録キーワードと再生制御条件とを対応付けたキーワード別再生制御条件を登録する登録手段と、入力信号からキーワードを検出する検出手段と、前記検出手段により検出された検出キーワードが前記キーワード別再生制御条件に含まれた前記登録キーワードを含む場合、前記キーワード別再生制御条件に含まれた前記再生制御条件を設定する設定手段と、前記設定手段により設定された前記再生制御条件に基づき、前記入力信号を再生する再生手段と、を備えている。
【０００６】
この発明の一実施形態に係る情報再生方法は、入力信号からキーワードを検出し、前記検出手段により検出された検出キーワードが、登録キーワードと再生制御条件とを対応付けたキーワード別再生制御条件に含まれた前記登録キーワードを含む場合、前記キーワード別再生制御条件に含まれた前記再生制御条件を設定し、前記設定された前記再生制御条件に基づき、前記入力信号を再生する。
【発明の効果】
【０００７】
本発明によれば、放送種別情報だけに依存することなく、デジタル放送等により提供されるコンテンツの画質及び音質等を制御することが可能な情報再生装置及び情報再生方法を提供できる。
【発明を実施するための最良の形態】
【０００８】
以下、図面を参照し、本発明の実施形態について説明する。
【０００９】
図１は、この発明の一実施形態に係るデジタルテレビジョン放送受信装置（情報再生装置）の概略構成を示す図である。以下、図１を参照し、デジタルテレビジョン放送受信装置について説明する。
【００１０】
図１に示すように、デジタル放送の伝送信号は、受信アンテナ１０３を介してデジタル放送受信モジュール１０５に入力され、アナログ放送の伝送信号は、受信アンテナ１０３を介してアナログ放送受信モジュール１０９に入力される。
【００１１】
デジタル放送受信モジュール１０５は、リモートコントローラ１０１ａからのチャンネル選局の操作信号に基づき、デジタル放送の伝送信号に含まれる複数チャンネルの信号の中から１つのチャンネルの信号を選局する。選局された１つのチャンネルの信号に含まれた映像及び音声信号（コンテンツ信号）は、映像・音声切換制御モジュール１０６に入力される。また、デジタル放送受信モジュール１０５は、デジタル放送の伝送信号に含まれる電子番組ガイド等の付属情報（上記したコンテンツ信号に対応した付属情報）を情報解析モジュール１１２へ送信する。電子番組ガイド等の付属情報は、番組種別情報（ジャンル情報）、イベントネーム（例えばタイトル）、出演者情報、及び内容解説情報のうちの少なくとも一つを含む。
【００１２】
また、アナログ放送受信モジュール１０９は、リモートコントローラ１０１ａからのチャンネル選局の操作信号に基づき、アナログ放送の伝送信号に含まれる複数チャンネルの信号の中から１つのチャンネルの信号を選局する。選局された１つのチャンネルの信号に含まれた映像及び音声信号は、映像・音声切換制御モジュール１０６に入力される。
【００１３】
また、ＨＤＭＩ接続モジュール１１３を介して接続されたＤＶＤレコーダなどの外部機器からの映像及び音声信号（コンテンツ信号）も、映像・音声切換制御モジュール１０６に入力される。さらに、ＨＤＭＩ接続モジュール１１３は、外部機器から提供される付属情報（上記したコンテンツ信号に対応した付属情報）を情報解析モジュール１１２へ送信する。外部機器から提供される付属情報も、番組種別情報（ジャンル情報）、イベントネーム（例えばタイトル）、出演者情報、及び内容解説情報のうちの少なくとも一つを含む。
【００１４】
なお、映像・音声切換制御モジュール１０６に入力される入力信号は、制御モジュール１００により管理される。制御モジュール１００は、記憶部１０４に記憶された制御プログラムに基づき、映像・音声切換制御モジュール１０６を含む各モジュールを制御する。記憶部１０４に記憶された制御プログラムは、例えば、デジタル放送を利用してダウンロードされた新規の制御プログラムにより更新することができる。
【００１５】
また、リモートコントローラ１０１ａからの操作信号は、コード受信モジュール１０１ｂで受信され、制御モジュール１００によりデコードされる。例えば、コード受信モジュール１０１ｂによりチャンネルの選局又は入力切換等の操作信号が受信されると、制御モジュール１００は、操作信号に基づき、デジタル放送受信モジュール１０５、アナログ放送受信モジュール１０９、映像・音声切換制御モジュール１０６を制御し、目的の映像・音声信号を映像・音声切換制御モジュール１０６から映像・音声出力処理モジュール１０８へ供給する。
【００１６】
また、制御モジュール１００は、オンスクリーン表示発生モジュール１０７を制御し、オンスクリーン表示発生モジュール１０７から所定のオンスクリーン表示情報を発生させる。オンスクリーン表示発生モジュール１０７から発生されたオンスクリーン表示情報は、映像・音声出力処理モジュール１０８に入力される。
【００１７】
映像・音声出力処理モジュール１０８は、映像・音声切換制御モジュール１０６からの映像信号に対してオンスクリーン表示情報を重畳する。その結果、ＬＣＤパネル１１０上には、オンスクリーン表示情報が重畳された映像が表示される。
【００１８】
また、制御モジュール１００は、設定された再生制御条件に基づき、映像・音声出力処理モジュール１０８から出力される音質及び音量を制御したり、画質を制御したりする。再生制御条件の設定については後に詳しく説明する。
【００１９】
さらに、制御モジュール１００は、ＵＳＢ端子１０２を介してハードディスク等の外部機器と接続することができ、外部機器からの映像・音声信号を映像・音声切換制御モジュール１０６、映像・音声出力処理モジュール１０８を介して、ＬＣＤパネル１１０及びスピーカ１１１から出力することができる。
【００２０】
上記説明したデジタルテレビジョン放送受信装置は、デジタル放送信号（放送波）等の入力信号に含まれた付属情報からキーワードを検出し、このキーワードに対応した再生制御条件（画質、音質など）を設定し、設定された再生制御条件に基づき入力信号に含まれた映像、音声信号を再生することができる。なお、入力信号は、外部装置（例えばＤＶＤレコーダやＩＰ放送サーバなど）から入力されてもよい。
【００２１】
このために、ユーザは、事前に、リモートコントローラ１０１ａを利用し、登録キーワードと再生制御条件とを対応付けたキーワード別再生制御条件を登録する。記憶部１０４は、登録されたキーワード別再生制御条件を記憶する。制御モジュール１００は、リモートコントローラ１０１ａからのキーワード別再生制御条件の入力画面表示の操作信号に基づき、入力画面の表示を制御する。入力画面のフォームは、記憶部１０４に登録されており、入力画面のフォームは、オンスクリーン表示発生モジュール１０７へ供給される。これにより、ＬＣＤパネル１１０は、図３に示すようなキーワード別再生制御条件の入力画面を表示する。
【００２２】
リモートコントローラ１０１ａは、ユーザ操作に対応し、入力画面のキーワード欄にキーワードを入力するための信号、キーワード欄に対応した映像設定欄に映像出力を制御する映像再生制御条件を設定するための信号、及びこのキーワード欄に対応した音声設定欄に音声出力を制御する音声再生制御条件を設定するための信号を送信する。制御モジュール１００は、リモートコントローラ１０１ａからの信号に基づき、キーワード欄に対してキーワードを入力し、このキーワード欄に対応した映像設定欄に映像再生制御条件を設定し、このキーワード欄に対応した音声設定欄に音声再生制御条件を設定する。なお、映像再生制御条件と音声再生制御条件のどちらか一方の条件だけを設定するようにしてもよい。この場合、他方の条件については、ユーザが選択中の設定または初期設定（例えば標準設定）を採用する。
【００２３】
図３は、キーワード別再生制御条件の入力画面の一例を示す図である。リモートコントローラ１０１ａによるキーワードの入力、映像再生制御条件の設定、及び音声再生制御条件の設定に基づき、例えば、キーワード別再生制御条件は、対応付け情報１〜５を含むことができる。対応付け情報１は、キーワード（世界）と映像再生制御条件（Mild）と音声再生制御条件（Standard）とを対応付けた情報である。また、対応付け情報２は、キーワード（物語）と映像再生制御条件（Movie）と音声再生制御条件（Dynamic）とを対応付けた情報である。また、対応付け情報３は、キーワード（ライブ）と映像再生制御条件（Memory）と音声再生制御条件（Memory）とを対応付けた情報である。また、対応付け情報４は、キーワード（戦争）と映像再生制御条件（Dynamic）と音声再生制御条件（Dynamic）とを対応付けた情報である。また、対応付け情報５は、キーワード（ニュース）と映像再生制御条件（Standard）と音声再生制御条件（Standard）とを対応付けた情報である。
【００２４】
さらに、リモートコントローラ１０１ａによる優先度の設定に基づき、例えば、キーワード別再生制御条件は、優先度が設定された対応付け情報１〜５を含むことができる。対応付け情報１は優先度２の設定を有し、対応付け情報２は優先度３の設定を有し、対応付け情報３は優先度１の設定を有し、対応付け情報４は優先度４の設定を有し、対応付け情報５は優先度５の設定を有する。優先度の役割については後に詳しく説明する。
【００２５】
続いて、図６を参照して、上記したDynamic、Standard、Mild、Movie、Memory等の映像再生制御条件の各パラメータの一例について説明する。図６は、映像パラメータテーブルの一例を示す図であり、映像パラメータテーブルは、記憶部１０４に記憶される。図６に示すように、映像再生制御条件としてのDynamicは、例えば、Back Light(0-100):100, Contrast(0-100):100, Brightness(0-100):50, Color(0-100):50, Tint(-50 - +50):0, Sharpness(-50 - +50):0, Color Temperature:Cool, Black Level:Higtのパラメータにより構成される。映像再生制御条件としてのStandard、Mild、Movieは、例えば図６に示す通りであり、その詳細説明は省略する。映像再生制御条件としてのMemoryは、例えば、Back Light(0-100):ユーザ設定値, Contrast(0-100):ユーザ設定値, Brightness(0-100):ユーザ設定値, Color(0-100):ユーザ設定値, Tint(-50 - +50):ユーザ設定値, Sharpness(-50 - +50):ユーザ設定値, Color Temperature:ユーザ設定値, Black Level:ユーザ設定値のパラメータにより構成される。
【００２６】
続いて、図７を参照して、上記したDynamic、Standard、Memory等の音声再生制御条件の各パラメータの一例について説明する。図７は、音声パラメータテーブルの一例を示す図であり、音声パラメータテーブルは、記憶部１０４に記憶される。図７に示すように、音声再生制御条件としてのDynamicは、例えば、Bass(-50 - +50):0, Terble(-50 - +50):0, Bass Boost:ON, Bass Boost Level:(0-100):70のパラメータにより構成される。音声再生制御条件としてのStandardは、例えば図７に示す通りであり、その詳細説明は省略する。音声再生制御条件としてのMemoryは、例えば、Bass(-50 - +50):ユーザ設定値, Terble(-50 - +50):ユーザ設定値, Bass Boost:ユーザ設定値, Bass Boost Level:(0-100):ユーザ設定値のパラメータにより構成される。
【００２７】
続いて、図２を参照して、キーワード別再生制御条件に基づく映像、音声の再生制御について説明する。ユーザは、図５に示すような設定画面等を介して、キーワード別再生制御条件に基づく映像、音声の再生制御を有効に設定したり、無効に設定したりすることができる。例えば、制御モジュール１００は、リモートコントローラ１０１ａからの設定画面表示の操作信号に基づき、ＬＣＤパネル１１０上に図５に示すような設定画面の表示を制御する。さらに、制御モジュール１００は、リモートコントローラ１０１ａからの有効設定又は無効設定の操作信号に基づき、キーワード別再生制御条件に基づく映像、音声の再生制御を有効に設定したり、無効に設定したりする。
【００２８】
キーワード別再生制御条件に基づく映像、音声の再生制御が無効に設定されている場合には（ＳＴ１、ＮＯ）、制御モジュール１００及び映像・音声出力処理モジュール１０８は、キーワードに関係なく、映像再生制御条件と音声再生制御条件の初期設定（ユーザ設定）に基づき映像、音声の再生を制御する。例えば、ユーザが、映像再生制御条件（Standard）及び音声再生制御条件（Standard）を初期設定している場合であって、キーワード別再生制御条件に基づく映像、音声の再生制御が無効に設定されている場合には（ＳＴ１、ＮＯ）、映像パラメータテーブル及び音声パラメータテーブルから、映像再生制御条件（Standard）及び音声再生制御条件（Standard）に対応したパラメータが読み出され（ＳＴ２）、映像・音声出力処理モジュール１０８に設定される（ＳＴ１０）。映像・音声出力処理モジュール１０８は、映像再生制御条件（Standard）及び音声再生制御条件（Standard）に対応したパラメータに基づき映像、音声を再生（出力）する。
【００２９】
キーワード別再生制御条件に基づく映像、音声の再生制御が有効に設定されている場合には（ＳＴ１、ＹＥＳ）、情報解析モジュール１１２は、デジタル放送信号等の入力信号に含まれた付属情報からイベントネーム（EventName）、出演者情報、及び内容解説情報等のキーワードを検出し（ＳＴ３）、検出キーワードがキーワード別再生制御条件に含まれた複数の登録キーワードのうちのどの登録キーワードを含むか否かを判断する（ＳＴ５〜ＳＴ８）。
【００３０】
なお、映像パラメータテーブル及び音声パラメータテーブルから、初期設定のパラメータ、即ち映像再生制御条件（Standard）及び音声再生制御条件（Standard）に対応したパラメータを読み出しておき（ＳＴ４）、検出キーワード、検出された出演者情報、及び検出された内容解説情報の何れも登録キーワードを含まない場合には（ＳＴ６、ＮＯ）（ＳＴ７、ＮＯ）、この映像再生制御条件（Standard）及び音声再生制御条件（Standard）に対応したパラメータが、映像・音声出力処理モジュール１０８に設定される（ＳＴ１０）。映像・音声出力処理モジュール１０８は、映像再生制御条件（Standard）及び音声再生制御条件（Standard）に対応したパラメータに基づき映像、音声を再生（出力）する。
【００３１】
情報解析モジュール１１２は、例えば、検出キーワードが登録キーワードを含むか否かを次のようにして判定する。最初に、情報解析モジュール１１２は、検出キーワードが最も優先度の高い登録キーワード（例えば優先度１が設定されているキーワード（ライブ））を含むか否かを判断する。つまり、情報解析モジュール１１２は、キーワード別再生制御条件から最も優先度の高い登録キーワードを読み出し（ＳＴ５）、検出キーワードが最も優先度の高い登録キーワードを含むか否かを判断する（ＳＴ６）。
【００３２】
検出キーワードが最も優先度の高い登録キーワードを含む場合には（ＳＴ６、ＹＥＳ）、制御モジュール１００及び映像・音声出力処理モジュール１０８は、最も優先度の高い登録キーワードに対応付けられた映像再生制御条件（例えばMemory）及び音声再生制御条件（例えばMemory）に基づき映像、音声の再生を制御する。つまり、映像パラメータテーブル及び音声パラメータテーブルから、映像再生制御条件（例えばMemory）及び音声再生制御条件（例えばMemory）に対応したパラメータが読み出され（ＳＴ９）、映像・音声出力処理モジュール１０８に設定される（ＳＴ１０）。映像・音声出力処理モジュール１０８は、映像再生制御条件（例えばMemory）及び音声再生制御条件（例えばMemory）に対応したパラメータに基づき映像、音声を再生（出力）する。
【００３３】
検出キーワードが最も優先度の高い登録キーワードを含まない場合には（ＳＴ６、ＮＯ）、情報解析モジュール１１２は、キーワード別再生制御条件から次に優先度の高い登録キーワード（例えば優先度２が設定されているキーワード（世界））があることを確認した場合に（ＳＴ７、ＹＥＳ）、キーワード別再生制御条件から次に優先度の高い登録キーワードを読み出し（ＳＴ８）、検出キーワードが次に優先度の高い登録キーワードを含むか否かを判断する（ＳＴ６）。
【００３４】
検出キーワードが次に優先度の高い登録キーワードを含む場合には（ＳＴ６、ＹＥＳ）、制御モジュール１００及び映像・音声出力処理モジュール１０８は、次に優先度の高い登録キーワードに対応付けられた映像再生制御条件（例えばMild）及び音声再生制御条件（例えばStandard）に基づき映像、音声の再生を制御する。つまり、映像パラメータテーブル及び音声パラメータテーブルから、映像再生制御条件（例えばMild）及び音声再生制御条件（例えばStandard）に対応したパラメータが読み出され（ＳＴ９）、映像・音声出力処理モジュール１０８に設定される（ＳＴ１０）。映像・音声出力処理モジュール１０８は、映像再生制御条件（例えばMild）及び音声再生制御条件（例えばStandard）に対応したパラメータに基づき映像、音声を再生（出力）する。
【００３５】
例えば、図４に示すように、デジタル放送信号等の入力信号から検出キーワード（世界名作物語）が検出された場合、検出キーワードは二つの登録キーワード（世界と物語）を含む。ここで、登録キーワード（世界）の優先度が登録キーワード（物語）の優先度より高い場合には、登録キーワード（世界）に対応付けられた映像再生制御条件（Mild）及び音声再生制御条件（Standard）が採用（設定）される。
【００３６】
以上により、デジタルテレビジョン放送受信装置は、デジタル放送信号等の入力信号から検出されたイベントネーム（EventName）、出演者情報、及び内容解説情報等のキーワードが登録キーワードを含む場合に、この登録キーワードに対応付けられた映像再生制御条件及び音声再生制御条件に基づき、デジタル放送信号等の入力信号に含まれた映像、音声を再生することができる。また、デジタルテレビジョン放送受信装置は、一つの検出キーワードが複数の登録キーワード（例えばライブと世界）を含む場合には、優先度の高い登録キーワードに対応付けられた映像再生制御条件及び音声再生制御条件に基づき、映像、音声を再生することができる。
【００３７】
これにより、デジタル放送信号等の入力信号にイベントネーム（EventName）、出演者情報、及び内容解説情報等のキーワードが含まれていれば、入力信号にジャンル情報が含まれていなくても、キーワードに基づき映像、音声の再生を制御することができる。また、入力信号にジャンル情報が含まれていても、このキーワードに基づく映像、音声の再生制御を適用することができる。従って、本実施形態のデジタルテレビジョン放送受信装置は、各国で異なるデジタル放送の運用形式を意識することなく、多くの国のデジタル放送に対応し、映像、音声の再生を制御することができる。
【００３８】
また、デジタルテレビジョン放送受信装置は、ＨＤＭＩ接続モジュール１１３から供給される入力信号に含まれた付属情報からキーワードを検出し、このキーワードに対応した再生制御条件（画質、音質など）を設定し、設定された再生制御条件に基づき入力信号に含まれた映像、音声信号を再生することもできる。
【００３９】
なお、デジタルテレビジョン放送受信装置は、ユーザ操作に対応して、複数の登録キーワードを１グループとして登録し、この１グループに対して映像再生制御条件と音声再生制御条件とを対応付けて登録し、キーワードを検出し、この検出キーワードが１グループに含まれる複数の登録キーワードを全て含む場合に、１グループに対して対応付けられた映像再生制御条件と音声再生制御条件に基づき再生を制御することもできる。例えば、デジタルテレビジョン放送受信装置は、ユーザ操作に対応して、「世界」と「物語」とを１グループとして登録し、この１グループに対して映像再生制御条件（Mild）と音声再生制御条件（Standard）とを対応付けて登録する。デジタルテレビジョン放送受信装置が、キーワードを検出し、この検出キーワードが「世界」と「物語」とを含む場合に、１グループに対して対応付けられた映像再生制御条件（Mild）と音声再生制御条件（Standard）に基づき再生を制御する。これにより、ユーザは、再生制御対象の番組を絞り込むことができ、絞り込んだ番組についてのみ映像再生制御条件と音声再生制御条件に基づく再生を適用することができる。
【００４０】
次に、番組種別情報（ジャンル情報）とキーワードとを併用した再生制御について説明する。電子番組ガイド等の付属情報は、上記したように、番組種別情報（ジャンル情報）を含むこともある。ユーザは、ジャンル情報を利用するために、事前に、リモートコントローラ１０１ａを利用し、ジャンル情報と再生制御条件とを対応付けたジャンル別再生制御条件を登録する。記憶部１０４は、登録されたジャンル別再生制御条件を記憶する。制御モジュール１００は、リモートコントローラ１０１ａからのジャンル別再生制御条件の入力画面表示の操作信号に基づき、入力画面の表示を制御する。入力画面のフォームは、記憶部１０４に登録されており、入力画面のフォームは、オンスクリーン表示発生モジュール１０７へ供給される。これにより、ＬＣＤパネル１１０は、ジャンル別再生制御条件の入力画面を表示する。
【００４１】
リモートコントローラ１０１ａは、ユーザ操作に対応し、入力画面のジャンル欄にジャンル情報を入力するための信号、ジャンル欄に対応した映像設定欄に映像再生制御条件を設定するための信号、及びこのジャンル欄に対応した音声設定欄に音声再生制御条件を設定するための信号を送信する。制御モジュール１００は、リモートコントローラ１０１ａからの信号に基づき、ジャンル欄に対してジャンル（スポーツ、映画などのジャンル）を設定し、このジャンル欄に対応した映像設定欄に映像再生制御条件を設定し、このジャンル欄に対応した音声設定欄に音声再生制御条件を設定する。なお、映像再生制御条件と音声再生制御条件のどちらか一方の条件だけを設定するようにしてもよい。この場合、他方の条件については、初期設定（例えば標準設定）を採用する。
【００４２】
番組種別情報（ジャンル情報）とキーワードとを併用した再生制御が有効に設定されている場合について説明する。情報解析モジュール１１２は、デジタル放送信号等の入力信号に含まれた付属情報からジャンル情報の検出と、イベントネーム（EventName）、出演者情報、及び内容解説情報等のキーワードの検出とを試みる。
【００４３】
制御モジュール１００は、ジャンル情報及びキーワードが検出され、且つ検出されたキーワードが登録キーワードを含まない場合には、検出されたジャンル情報に基づき再生を制御する。即ち、制御モジュール１００は、検出ジャンル情報及びジャンル別再生制御条件に基づき、検出ジャンル情報に対応する映像再生制御条件及び音声再生制御条件を設定し、設定された映像再生制御条件及び音声再生制御条件に基づき、映像、音声の再生を制御する。
【００４４】
また、制御モジュール１００は、ジャンル情報が検出されず、キーワードが検出され、検出キーワードが登録キーワードを含む場合には、検出キーワードに基づき再生を制御する。即ち、制御モジュール１００は、検出キーワード及びキーワード別再生制御条件に基づき、検出キーワードに対応する映像再生制御条件及び音声再生制御条件を設定し、設定された映像再生制御条件及び音声再生制御条件に基づき、映像、音声の再生を制御する。
【００４５】
また、制御モジュール１００は、ジャンル情報及びキーワードが検出され、検出キーワードが登録キーワードを含む場合には、ジャンル情報に基づき再生を制御するべきか、検出キーワードに基づき再生を制御するべきか判断する。事前に、ユーザは、リモートコントローラ１０１ａを利用し、ジャンル情報に基づく再生制御とキーワードに基づく再生制御のうちのどちらかを優先設定することができる。記憶部１０４は、ジャンル情報に基づく再生制御とキーワードに基づく再生制御のどちらが優先設定されたかを記憶する。
【００４６】
ジャンル情報に基づく再生制御に対して優先設定されている場合、制御モジュール１００は、ジャンル情報に基づき再生を制御すると判断し、検出ジャンル情報及びジャンル別再生制御条件に基づき、検出ジャンル情報に対応する映像再生制御条件及び音声再生制御条件を設定し、設定された映像再生制御条件及び音声再生制御条件に基づき、映像、音声の再生を制御する。或いは、キーワード情報に基づく再生制御に対して優先設定されている場合、制御モジュール１００は、キーワード情報に基づき再生を制御すると判断し、検出キーワード及びキーワード別再生制御条件に基づき、検出キーワードに対応する映像再生制御条件及び音声再生制御条件を設定し、設定された映像再生制御条件及び音声再生制御条件に基づき、映像、音声の再生を制御する。
【００４７】
以上により、デジタルテレビジョン放送受信装置は、キーワードに基づく再生制御が適用できない場合にはジャンル情報に基づく再生制御を選択し、ジャンル情報に基づく再生制御が適用できない場合にはキーワードに基づく再生制御を選択することができる。また、デジタルテレビジョン放送受信装置は、ジャンル情報に基づく再生制御及びキーワードに基づく再生制御の両方が適用できる場合には、優先設定に従い、ジャンル情報に基づく再生制御を選択したり、キーワードに基づく再生制御を選択したりすることができる。これにより、ユーザが、ジャンル情報に基づく再生制御を優先したり、キーワードに基づく再生制御を優先したりすることができる。例えば、一般的なキーワードではなく特徴的なキーワードを使用することにより再生制御対象の番組を限定することができるし、特徴的なキーワードを使用したことにより放送信号からこの特徴的なキーワードが検出できなければジャンル情報に基づき再生を制御することもできる。
【００４８】
なお、上記したモジュールとは、ハードウェアで実現するものであっても良いし、ＣＰＵ等を使ってソフトウェアで実現するものであってもよい。
【００４９】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５０】
【図１】この発明の一実施形態に係るデジタルテレビジョン放送受信装置（情報再生装置）の概略構成を示す図である。
【図２】キーワード別再生制御条件に基づく映像、音声の再生制御の一例を示すフローチャートである。
【図３】キーワード別再生制御条件の入力画面の一例を示す図である。
【図４】検出キーワードと映像再生制御条件及び音声再生制御条件の設定との関係を説明するための図である。
【図５】キーワード別再生制御条件に基づく映像、音声の再生制御を有効に設定したり、無効に設定したりするための設定画面の一例を示す図である。
【図６】上記したDynamic、Standard、Mild、Movie、Memory等の映像再生制御条件の各パラメータの一例を説明するための図である。
【図７】上記したDynamic、Standard、Memory等の音声再生制御条件の各パラメータの一例を説明するための図である。
【符号の説明】
【００５１】
１００…制御モジュール、１０１ａ…リモートコントローラ、１０１ｂ…コード受信モジュール、１０３…アンテナ、１０４…記憶部、１０５…デジタル放送受信モジュール、１０６…映像・音声切換制御モジュール、１０７…オンスクリーン表示発生モジュール、１０８…映像・音声出力処理モジュール、１０９…アナログ放送受信モジュール、１１０…ＬＣＤパネル、１１１…スピーカ、１１２…情報解析モジュール、１１３…ＨＤＭＩ接続モジュール
【図１】
2010124417.tif 000003
【図２】
2010124417.tif 000004
【図３】
2010124417.tif 000005
【図４】
2010124417.tif 000006
【図５】
2010124417.tif 000007
【図６】
2010124417.tif 000008
【図７】
2010124417.tif 000009